(57)【要約】【課題】簡単な構成によって周辺光量の低下の少ないレンズ鏡筒を提供する。【解決手段】広角領域の焦点距離を有する光学系を備え、ＮＤコーティングを施したレンズを有する。【選択図】  図３
2004184709.tif 000002
【特許請求の範囲】
【請求項１】
広角領域の焦点距離を有する光学系を備えるレンズ鏡筒であって、ＮＤコーティングを施したレンズを有することを特徴とするレンズ鏡筒。
【請求項２】
前記ＮＤコーティングの濃度が、ＮＤコーティングを施したレンズの中心から外周に向かうにしたがって低下するようになっている請求項１記載のレンズ鏡筒。
【請求項３】
前記ＮＤコーティングは、その中心に形成された円形の高濃度部分と、前記高濃度部分の外側の低濃度部分とからなり、前記高濃度部分の直径がレンズ有効径より小さい請求項２記載のレンズ鏡筒。
【請求項４】
前記光学系は複数のレンズ群からなり、前記ＮＤコーティングは最も被写体側のレンズ群に施されている請求項１記載のレンズ鏡筒。
【請求項５】
前記光学系は複数のレンズ群からなり、前記ＮＤコーティングは最もカメラボディ側のレンズ群に施されている請求項１記載のレンズ鏡筒。
【請求項６】
前記ＮＤコーティングは円形に施してあり、その直径はレンズ有効径より小さい請求項１記載のレンズ鏡筒。
【請求項７】
前記ＮＤコーティングは、２種類以上の濃度部分からなる請求項１記載のレンズ鏡筒。
【請求項８】
前記光学系は複数のレンズ群からなり、いずれかのレンズ群に前記ＮＤコーティングが施されている請求項１記載のレンズ鏡筒。
【発明の詳細な説明】
【０００１】
【技術分野】
本発明は、広角領域の焦点距離を有するレンズ鏡筒に関する。
【０００２】
【従来技術及びその問題点】
近年のコンパクトズームカメラでは、撮影光学系の焦点距離のうちワイド端を２８ｍｍ、３５ｍｍ又は３８ｍｍ前後の広角領域に設定したものが多くなっている。
【０００３】
しかし、このようなカメラは、光学性能（光学性質）上、レンズ中心部に比べてレンズ周辺部の光量が少ないという問題を有していた。特にコンパクトカメラにおいては、そのレンズ構成により開口効率が小さくなる（約５０％、像高０．９Ｙ）ことが多かった。このため、絞りを小絞りにしても周辺光量の不足が目立ちやすくなっていた。
【０００４】
これに対して、シャッタに可変絞りを搭載するものがあったが、シャッタの構成が複雑となり、制御が複雑化し、絞りの精度が低下することにより効果が半減するおそれがあった。
【０００５】
また、レンズ径を大きくするなどして光学系に変更を加えて対処するものもあったが、光学系の変更によりカメラが大きくならざるを得ないという欠点があった。
【０００６】
【特許文献】
特開平５−３４６６０５号公報
特開平９−１５６８１号公報
特開２０００−２１４５１４号公報
【０００７】
【発明の目的】
そこで本発明の目的は、簡単な構成によって周辺光量の低下の少ないレンズ鏡筒を提供することにある。
【０００８】
【発明の概要】
上記問題点を解決するために、本発明のレンズ鏡筒においては、広角領域の焦点距離を有する光学系を備え、ＮＤコーティングを施したレンズを有することを特徴とする。
【０００９】
ＮＤコーティングの濃度は、ＮＤコーティングを施したレンズの中心から外周に向かうにしたがって低下するようになっていることが好ましく、２種類以上の濃度部分からなるとなおよい。
【００１０】
ＮＤコーティングが円形に施してある場合、その直径はレンズ有効径より小さいことが好ましい。また、ＮＤコーティングが、その中心に形成された円形の高濃度部分と、前記高濃度部分の外側の低濃度部分とからなるときは、高濃度部分の直径がレンズ有効径より小さいことが好ましい。
【００１１】
光学系が複数のレンズ群からなるとき、いずれかのレンズ群に前記ＮＤコーティングが施されていることが好ましく、最も被写体側のレンズ群に施すこともできるし、最もカメラボディ側のレンズに施すことができる。
【００１２】
【発明の実施形態】
以下、本発明にかかる実施形態を図面を参照しつつ詳しく説明する。
本実施形態は、本発明を沈胴式の４段ズームレンズ鏡筒に適用した実施形態である。このレンズ鏡筒５０は、１群レンズ１、２群レンズ２、３群レンズ３、４群レンズ４及び５群レンズ５を含む光学系５５と、カメラボディ（不図示）に固定されるハウジング（固定環）３８と、ハウジング３８に支持されて光学系５５の光軸５５ａに沿って相対的に進退する４段の繰り出し鏡筒として、第４筒２４、第３筒２１、カム環１９及びレンズ支持筒１７と、を備えている。なお、本明細書中において前方とは被写体（不図示）側を、後方とはカメラボディ側（フィルム側）を言う。
【００１３】
このレンズ鏡筒５０は、ハウジング３８に対して第４筒２４が、第４筒２４に対して第３筒２１が、第３筒２１に対してカム環１９が、それぞれヘリコイド構造によって結合されている。そして、レンズ支持筒１７は、カム環１９に対してカム構造によって連結されている。
【００１４】
ハウジング３８の内周には第４筒２４が嵌められ、第４筒２４の後端面には第２ヘリコイド環２５が固定されている。第２ヘリコイド環２５はハウジング３８の内周面に設けられた溝３８ａと螺合しているため、第４筒２４及び第２ヘリコイド環２５はハウジング３８に対して光軸５５ａの方向に相対移動可能である。
【００１５】
第４筒２４の内周には、第３直進案内環２３が嵌められている。第３直進案内環２３の周方向には溝２３ａが設けられている。第３直進案内環２３の内周には第３筒２１が嵌められ、第３筒２１の後端部には第１ヘリコイド環２２が固定されている。第１ヘリコイド環２２の外周に固定された案内コマ２９が溝２３ａと係合し、さらに、第４筒２４の直進溝２４ａに係合しているので、第３直進案内環２３は第３筒２１及び第１ヘリコイド環２２を直進案内可能である。
【００１６】
第３筒２１の内周には、第２直進案内環２０が嵌められている。第２直進案内環２０の周方向には溝２０ａが設けられている。第２直進案内環２０の内周にはカム環１９が嵌められ、カム環１９の後方外周面には等角度間隔で２つの案内コマ２８が外方に突出して固定され、溝２０ａと係合し、さらに、第３筒２１の直進溝２１ａに係合しているので、第２直進案内環２０はカム環１９を直進案内可能である。
【００１７】
カム環１９の内側には、カム環１９と相対回動が可能で光軸方向には一緒に移動する第１直進案内環１８が支持されている。第１直進案内環１８は、外周に複数の直進案内突起１８ａが固定され、各直進案内突起１８ａが第２直進案内環２０内周の直進案内溝２０ａに係合することで、光軸５５ａの方向の直進移動のみが可能となっている。
【００１８】
カム環１９の内側にはまた、レンズ支持筒１７と後枠９が位置しており、レンズ支持筒１７と後枠９が第１直進案内環１８によって光軸方向に直進案内されている。カム環１９とレンズ支持筒１７とが相対的に回転することによって、カム環１９の内側のカム溝１９ｂに沿ってレンズ支持筒１７が繰り出される。レンズ支持筒１７の後方外周面には等角度間隔で３つの後群ローラ２７が貫通して外方に突出して固定され、後群ローラ２７はカム環１９の後方内周面に周方向に等角度間隔で３組形成された溝１９ｂと係合するカム構造となっている。また、レンズ支持筒１７には、溝１９ｂに嵌まるレンズ支持筒ローラ２６が径方向に突出形成されており、溝１９ｂとレンズ支持筒ローラ２６の係合関係によりレンズ支持筒１７はカム環１９に対して所定軌跡で光軸５５ａの方向に進退する。
【００１９】
レンズ支持筒１７の内周にはシャッタユニット１６が固定され、シャッタユニット１６の内周には、内周に１群レンズ１が固定された前枠６、内周に２群レンズ２及び３群レンズ３が固定された中枠７がそれぞれ光軸５５ａの方向に相対移動可能に嵌められている。２群レンズ２と３群レンズ３は２群３群間隔環８を介して光軸５５ａの方向に並んでいる。前枠６と中枠７は互いに光軸５５ａの方向に相対移動可能である。
【００２０】
レンズ支持筒１７を貫通した後群ローラ２７は、レンズ支持筒１７の後方内周に配置された後枠移動環１０の外周に固定される。後枠移動環１０の後端には、内周に４群レンズ４、５群レンズ５が固定された後枠９が螺合されている。後群ローラ２７がカム環１９のカム溝１９ｂに沿って移動すると後枠９も光軸方向に移動する。
【００２１】
図２に示すように、前枠６、中枠７及び後枠９は、光軸５５ａの方向に相対移動することにより、光軸５５ａの方向の相対位置を初期の格納位置（図２（ａ））からワイド端位置（図２（ｂ））に切り換え、ワイド端位置とテレ端位置（図２（ｃ））との間で焦点距離を変化させることができる。本実施形態では、ワイド端における光学系５５の焦点距離を２０ｍｍ（３５ｍｍカメラ（３５ｍｍフィルムを使用するカメラ）換算）としているが、２０ｍｍ〜３８ｍｍの広角領域の焦点距離であれば本発明の効果を得ることができる。さらに、前枠６、中枠７は、それぞれの位置においてシャッタユニット１６により光軸５５ａの方向に進退され、フォーカシングに利用される。
【００２２】
レンズ支持筒１７の先端部には、１群レンズ１の前方の鏡筒開口を開閉するレンズバリヤ機構が設けられている。レンズバリヤ機構は、レンズ支持筒１７の前方端面に固定されている化粧板３０、化粧板３０に対して回動可能に枢支されているバリヤ３１とバリヤ３２を備えている。化粧板３０には、バリヤ３１とバリヤ３２を回動可能に支持する図示しない突起が設けられており、バリヤ３１とバリヤ３２は、この突起を中心として回動し、連動して化粧板３０の開口を開閉する。
【００２３】
図３（ａ）及び図４に示すように、本実施形態においては、５群レンズ５の後方側の面上において、光学系５５の光軸５５ａ上にその中心６５が配置されるようにコーティングによって平面形状が円形のＮＤコーティング（ｎｅｕｔｒａｌ
ｄｅｎｓｉｔｙ  ｆｉｌｔｅｒ）６０が施されている。
【００２４】
図３（ｂ）に示すように、円形のＮＤコーティング６０は、その中心６５から同心円状に、濃度の高い（反射率が高い）直径ｄＮＤ１の第１ＮＤ部６２、第１ＮＤ部６２の外側に設けられ、第１ＮＤ部６２よりもやや濃度が低く（反射率が低い）、かつ第１ＮＤ部６２とともに高濃度部分を構成する第２ＮＤ部６３、及び、第２ＮＤ部の外側に設けられ第２ＮＤ部よりも濃度がさらに低く反射率がほぼゼロである低濃度部分としての第３ＮＤ部６４が設けられている。すなわち、ＮＤコーティング６０は中心６５から外周に向かうほど濃度が低くなるようになっており、図３（ｃ）に示すように、中心６５から外周に向かうほど反射率が低くなっている。もちろん、第１ＮＤ部６２、第２ＮＤ部６３及び第３ＮＤ部６４のそれぞれにおいて、連続的又は非連続的に、中心６５から外周に向かうほど濃度が低くなるようにしてもよい。また、ＮＤコーティング６０は、２種類以上の濃度部分からなっていればよく、例えば第３ＮＤ部６４を非コーティング部としてもよい。
【００２５】
４群レンズ４及び５群レンズ５の周辺部のうち光束が通りうる最も外側の経路は、図３（ａ）内の点線に示すものであって、本実施形態では、ＮＤコーティング６０の外径すなわち第３ＮＤ部６４の外径ｄ０をこの点線上に配置している。よって、高濃度部分の直径すなわち第２ＮＤ部６３の直径ｄＮＤ２は、図３（ａ）において５群レンズ５を通る点線で示される光学系５５の有効径より小さく設定されている。
【００２６】
このような構成により、光学系５５を構成するレンズの周辺部を通った光束は反射率の低い第３ＮＤ部６４を通り、レンズの中心部を通った光束は反射率の高い高濃度部分としての第１ＮＤ部６２又は第２ＮＤ部６３を通ることになる。このため、レンズ中心部を通る光束は光量が抑えられる一方、周辺部を通る光束はその光量の低下が少なくなることによって、相対的な周辺光量の不足を補正することができる。
【００２７】
次に本実施形態の変形例を図５乃至図８を用いて説明する。
本実施形態においては、ＮＤコーティング６０を５群レンズ５の後方側の面上に形成していたが、４群レンズ４の前方側の面上に形成してもよい（図５、図６）。このように構成することによって、周辺光量の低下の少ない光束が４群レンズ４へ入射可能である。
【００２８】
また、図７及び図８に示すように、ＮＤコーティング６０を１群レンズ１の前方側の面に形成してもよい。このように構成することによって、周辺光量の低下の少ない光束が１群レンズ１へ入射可能である。さらに、ＮＤコーティングは、５群レンズ５の後方側の面、４群レンズ４の前方側の面及び１群レンズ１の前方側の面以外であっても、いずれかのレンズ群のいずれかの面に施されていれば本発明の効果を奏することができる。
【００２９】
また、ＮＤコーティング６０は、５群以外の構成のレンズに適用することもできるし、４段以外の構成のズームレンズ又は広角領域の焦点距離を有する単焦点レンズに対しても使用することができる。
【００３０】
さらに、ＮＤコーティングは、複数のレンズ面に形成しても良い。
【００３１】
本発明について上記実施形態を参照しつつ説明したが、本発明は上記実施形態に限定されるものではなく、改良の目的又は本発明の思想の範囲内において改良又は変更が可能である。
【００３２】
【発明の効果】
以上説明したように、本発明によると、レンズ鏡筒の光学系を構成するレンズ群のレンズ面上にＮＤコーティングを形成することにより、簡単な構成によって周辺光量の低下の少ないレンズ鏡筒を提供することができる。
【図面の簡単な説明】
【図１】本発明の実施形態にかかるレンズ鏡筒の側断面図である。
【図２】本発明の実施形態にかかるレンズ鏡筒の側断面図であって、（ａ）はレンズが格納された状態、（ｂ）はワイド端位置にある状態、（ｃ）はテレ端位置にある状態を示す。
【図３】（ａ）は本発明の実施形態にかかるレンズ鏡筒におけるＮＤコーティングの設置位置を示す側断面図、（ｂ）はＮＤコーティングの平面図、（ｃ）は（ｂ）のＡ−Ａ’面における反射率の分布を示す図である。
【図４】本発明の実施形態にかかるレンズ鏡筒の一部を示す分解斜視図である。
【図５】４群レンズ４の前方側の面上にＮＤコーティングを配置した本発明の実施形態の変形例を示す側断面図である。
【図６】４群レンズ４の前方側の面上にＮＤコーティングを配置した本発明の実施形態の変形例にかかるレンズ鏡筒の一部を示す分解斜視図である。
【図７】１群レンズ１の前方側の面上にＮＤコーティングを配置した本発明の実施形態の変形例を示す側断面図である。
【図８】１群レンズ１の前方側の面上にＮＤコーティングを配置した本発明の実施形態の変形例にかかるレンズ鏡筒の一部を示す分解斜視図である。
【符号の説明】
５０    レンズ鏡筒
６０    ＮＤコーティング
６２    第１ＮＤ部
６３    第２ＮＤ部
６４    第３ＮＤ部
【図１】
2004184709.tif 000003
【図２】
2004184709.tif 000004
【図３】
2004184709.tif 000005
【図４】
2004184709.tif 000006
【図５】
2004184709.tif 000007
【図６】
2004184709.tif 000008
【図７】
2004184709.tif 000009
【図８】
2004184709.tif 000010